(57)【要約】【課題】リテーナ挿入開口からの高圧洗浄水が勢いよく浸入されることによってシール部材が変形されることを防ぎ、シール部材の防水性能を維持することによって端子間のショートが発生することを防止することができる防水コネクタ嵌合構造を提供すること。【解決手段】端子Ｃ１が収容される端子収容室２１ｂが設けられた柱状の端子収容部２１と、端子収容部２１の外周面２１ａとの間に隙間Ｇが形成されるように外周面２１ａを囲い、かつ、リテーナ４０の挿入口となるリテーナ挿入開口２２ａが形成されたフード部２２と、を備えた第一コネクタハウジング２０を有してなる第一コネクタ１０と、隙間Ｇに嵌入される嵌合筒部１２１を備えた第二コネクタハウジング１２０を有してなる第二コネクタ１１０と、が環状のシール部材Ｓによって防水可能にコネクタ嵌合される防水コネクタ嵌合構造１において、リテーナ挿入開口２２ａを遮水可能に覆う開口覆い壁５０を有してなる。【選択図】図１
2018152265.tif 000002
【特許請求の範囲】
【請求項１】
端子が収容される端子収容室が設けられた柱状の端子収容部と、該端子収容部の外周面との間に隙間が形成されるように前記外周面を囲い、かつ、前記端子を前記端子収容室内に係止するリテーナの挿入口となるリテーナ挿入開口が形成されたフード部と、を備えた第一コネクタハウジングを有してなる第一コネクタと、前記隙間に嵌入される嵌合筒部を備えた第二コネクタハウジングを有してなる第二コネクタと、が前記嵌合筒部の内周面と前記端子収容部の前記外周面との間を液密に封止するため前記外周面に設けられた環状のシール部材によって防水可能にコネクタ嵌合される防水コネクタ嵌合構造において、
前記リテーナ挿入開口を遮水可能に覆う開口覆い壁
を有してなることを特徴とする防水コネクタ嵌合構造。
【請求項２】
前記第一コネクタは、
前記第二コネクタとのコネクタ嵌合のために負荷する力に梃を利用可能にした嵌合補助レバー部を有してなり、
前記開口覆い壁は、
前記嵌合補助レバー部の一部をなし、前記嵌合補助レバー部がコネクタ嵌合完了位置にレバー操作された状態で前記リテーナ挿入開口を遮水可能に覆う
ことを特徴とする請求項１に記載の防水コネクタ嵌合構造。
【請求項３】
前記開口覆い壁は、
前記第一コネクタと前記第二コネクタとのコネクタ嵌合完了状態で前記リテーナ挿入開口を覆うように前記嵌合筒部に一体、または、別体で設けられている
ことを特徴とする請求項１に記載の防水コネクタ嵌合構造。
【請求項４】
前記開口覆い壁は、
前記第一コネクタハウジングに着脱自在な取付部材に、一体、または、別体で設けられている
ことを特徴とする請求項１に記載の防水コネクタ嵌合構造。
【請求項５】
前記取付部材は、
前記第一コネクタハウジングから引き出される電線を該電線の方向を規制しつつカバーする電線カバーである
ことを特徴とする請求項４に記載の防水コネクタ嵌合構造。
【発明の詳細な説明】
【技術分野】
【０００１】
本発明は、リテーナの挿入口となるリテーナ挿入開口が形成されたフード部を有してなる第一コネクタと、第二コネクタと、がシール部材によって防水可能にコネクタ嵌合される防水コネクタ嵌合構造に関する。
【背景技術】
【０００２】
従来、防水コネクタ嵌合構造としては、二つのコネクタがシール部材によって防水可能にコネクタ嵌合されるようになっている。
このような防水コネクタ嵌合構造には、端子が収容される端子収容室が設けられた柱状の端子収容部と、端子収容部の外周面との間に隙間が形成されるように外周面を囲い、かつ、端子を端子収容室内に係止するリテーナの挿入口となるリテーナ挿入開口が形成されたフード部と、を備えた第一コネクタハウジングを有してなる第一コネクタと、隙間に嵌入される嵌合筒部を備えた第二コネクタハウジングを有してなる第二コネクタと、が嵌合筒部の内周面と端子収容部の外周面との間を液密に封止するため外周面に設けられた環状のシール部材によって防水可能にコネクタ嵌合されるものがある。
【０００３】
例えば、特許文献１には、リテーナに設けられた逆テーパ面によって異物がシールリングに到達される前にハウジング本体に誘導するコネクタが記載されている。
【０００４】
また、特許文献２には、リテーナを仮係止位置および本係止位置で係止するためのハウジング係止アームがアーム支持部によって両端を支持されたコネクタが記載されている。
【先行技術文献】
【特許文献】
【０００５】
【特許文献１】特開２０１４−５３１４９号公報
【特許文献２】特開２０１５−１９５１２４号公報
【発明の概要】
【発明が解決しようとする課題】
【０００６】
しかしながら、コネクタハウジング２００のフード部２１０にリテーナ挿入開口２２０が形成されているコネクタは、図１５（特許文献１の図３）の矢印Ａ方向から高圧洗浄水が吹き付けられた場合、シール部材Ｓから離れた矢印Ｂ方向から高圧洗浄水が吹き付けられる場合に比して、勢いある水がリテーナ挿入開口２２０に直接吹き掛かるため、リテーナ挿入開口２２０内に勢いよく侵入した水の水圧によってシール部材Ｓが変形し、防水性能が低下することによって、結果的に、端子Ｃ１、Ｃ２間のショートを発生してしまうおそれがあった。
【０００７】
本発明は、上記に鑑みてなされたものであって、リテーナ挿入開口からの高圧洗浄水が勢いよく浸入されることによってシール部材が変形されることを防ぎ、シール部材の防水性能を維持することによって端子間のショートが発生することを防止することができる防水コネクタ嵌合構造を提供することを目的とする。
【課題を解決するための手段】
【０００８】
上述した課題を解決し、目的を達成するために、本発明の請求項１に係る防水コネクタ嵌合構造は、端子が収容される端子収容室が設けられた柱状の端子収容部と、該端子収容部の外周面との間に隙間が形成されるように前記外周面を囲い、かつ、前記端子を前記端子収容室内に係止するリテーナの挿入口となるリテーナ挿入開口が形成されたフード部と、を備えた第一コネクタハウジングを有してなる第一コネクタと、前記隙間に嵌入される嵌合筒部を備えた第二コネクタハウジングを有してなる第二コネクタと、が前記嵌合筒部の内周面と前記端子収容部の前記外周面との間を液密に封止するため前記外周面に設けられた環状のシール部材によって防水可能にコネクタ嵌合される防水コネクタ嵌合構造において、前記リテーナ挿入開口を遮水可能に覆う開口覆い壁を有してなることを特徴とする。
【０００９】
また、本発明の請求項２に係る防水コネクタ嵌合構造は、上記の発明において、前記第一コネクタが、前記第二コネクタとのコネクタ嵌合のために負荷する力に梃を利用可能にした嵌合補助レバー部を有してなり、前記開口覆い壁が、前記嵌合補助レバー部の一部をなし、前記嵌合補助レバー部がコネクタ嵌合完了位置にレバー操作された状態で前記リテーナ挿入開口を遮水可能に覆うことを特徴とする。
【００１０】
また、本発明の請求項３に係る防水コネクタ嵌合構造は、上記の発明において、前記開口覆い壁が、前記第一コネクタと前記第二コネクタとのコネクタ嵌合完了状態で前記リテーナ挿入開口を覆うように前記嵌合筒部に一体、または、別体で設けられていることを特徴とする。
【００１１】
また、本発明の請求項４に係る防水コネクタ嵌合構造は、上記の発明において、前記開口覆い壁が、前記第一コネクタハウジングに着脱自在な取付部材に、一体、または、別体で設けられていることを特徴とする。
【００１２】
また、本発明の請求項５に係る防水コネクタ嵌合構造は、上記の発明において、前記取付部材が、前記第一コネクタハウジングから引き出される電線を該電線の方向を規制しつつカバーする電線カバーであることを特徴とする。
【発明の効果】
【００１３】
本発明の請求項１に係る防水コネクタ嵌合構造は、前記開口覆い壁がリテーナ挿入開口を遮水可能に覆うので、高圧洗浄水が前記リテーナ挿入開口に直接掛かることが抑制され、前記リテーナ挿入開口から侵入される高圧洗浄水の勢いを弱めることによって、リテーナ挿入開口から高圧洗浄水が勢いよく浸入されることによってシール部材が変形されることを防ぎ、シール部材の防水性能を維持することによって端子間のショートが発生することを防止することができる。
【００１４】
本発明の請求項２に係る防水コネクタ嵌合構造は、レバー操作によって移動可能な前記嵌合補助レバー部の一部をなす前記開口覆い壁が、前記第一コネクタと前記第二コネクタとがコネクタ嵌合される前の状態では、前記リテーナ挿入開口が開口されるように位置されることによって、前記リテーナ挿入開口の挿入方向での前記リテーナの移動の邪魔にならず、前記第一コネクタと前記第二コネクタとがコネクタ嵌合完了された状態では、前記リテーナ挿入開口を遮水可能に覆うことができる。
【００１５】
本発明の請求項３に係る防水コネクタ嵌合構造は、前記嵌合筒部に一体、または、別体で設けられた前記開口覆い壁が、前記第一コネクタと前記第二コネクタとがコネクタ嵌合される前の状態では、前記リテーナ挿入開口が開口されるように位置されることによって、前記リテーナ挿入開口の挿入方向での前記リテーナの移動の邪魔にならず、前記第一コネクタと前記第二コネクタとがコネクタ嵌合完了された状態では、前記リテーナ挿入開口を遮水可能に覆うことができる。
【００１６】
本発明の請求項４に係る防水コネクタ嵌合構造は、前記第一コネクタハウジングに着脱自在な取付部材に、一体、または、別体で設けられた前記開口覆い壁が、前記第一コネクタハウジングから前記開口覆い壁と一体の前記取付部材が離脱され、あるいは、前記取付部材から前記取付部材とは別体の前記開口覆い壁が離脱されることによって、前記リテーナ挿入開口の挿入方向での前記リテーナの移動の邪魔にならず、前記開口覆い壁と一体の前記取付部材が前記第一コネクタハウジングに装着され、あるいは、前記取付部材とは別体の前記開口覆い壁が前記取付部材に装着されることによって、前記リテーナ挿入開口を遮水可能に覆うことができる。
【００１７】
本発明の請求項５に係る防水コネクタ嵌合構造は、前記第一コネクタハウジングに着脱可能な前記取付部材としての前記電線カバーに前記開口覆い壁を設けているので、前記第一コネクタハウジングから前記取付部材が離脱されることによって、前記開口覆い壁が前記リテーナ挿入開口の挿入方向での前記リテーナの移動の邪魔にならず、前記電線カバーが前記第一コネクタハウジングに装着されることによって、前記開口覆い壁によって前記リテーナ挿入開口を遮水可能に覆うことができる。
【図面の簡単な説明】
【００１８】
【図１】図１は、本発明の実施例１に係る防水コネクタ嵌合構造の第一コネクタと第二コネクタとがコネクタ嵌合される前の状態を示した斜視図である。
【図２】図２は、図１に示した第一コネクタと第二コネクタとがコネクタ嵌合された状態の防水コネクタ嵌合構造の斜視図である。
【図３】図３は、図２に示した防水コネクタ嵌合構造をリテーナ挿入開口側から視た図である。
【図４】図４は、防水コネクタ嵌合構造の断面図である。
【図５】図５は、本発明の実施例１の防水コネクタ嵌合構造の第一コネクタと第二コネクタとをコネクタ嵌合する手順、および、第一コネクタと第二コネクタとがコネクタ嵌合完了されるまでの各部の動作について説明するための図である。
【図６】図６は、本発明の実施例２に係る防水コネクタ嵌合構造の第一コネクタと第二コネクタとがコネクタ嵌合される前の状態を示した斜視図である。
【図７】図７は、図６に示した防水コネクタ嵌合構造がコネクタ嵌合完了された状態をリテーナ挿入開口側から視た図である。
【図８】図８は、（ａ）が図７に示した防水コネクタ嵌合構造のＡ−Ａ線断面図であり、（ｂ）が（ａ）に示した断面図のリテーナ挿入開口周辺を拡大した図である。
【図９】図９は、（ａ）が図７に示した防水コネクタ嵌合構造のＢ−Ｂ線断面図であり、（ｂ）が（ａ）に示した断面図のリブ周辺を拡大した図である。
【図１０】図１０は、本発明の実施例２の防水コネクタ嵌合構造の第一コネクタと第二コネクタとをコネクタ嵌合する手順、および、第一コネクタと第二コネクタとがコネクタ嵌合完了されるまでの各部の動作について説明するための図である。
【図１１】図１１は、本発明の実施例３に係る防水コネクタ嵌合構造の第一コネクタと第二コネクタとがコネクタ嵌合される前の状態を示した斜視図である。
【図１２】図１２は、図１１に示した第一コネクタと第二コネクタとがコネクタ嵌合された状態の防水コネクタ嵌合構造をリテーナ挿入開口側から視た図である。
【図１３】図１３は、（ａ）が図１２に示した防水コネクタ嵌合構造のＣ−Ｃ線断面図であり、（ｂ）が（ａ）に示した断面図のリテーナ挿入開口周辺を拡大した図である。
【図１４】図１４は、本発明の実施例３の防水コネクタ嵌合構造の第一コネクタと第二コネクタとをコネクタ嵌合する手順、および、第一コネクタと第二コネクタとがコネクタ嵌合完了されるまでの各部の動作について説明するための図である。
【図１５】図１５は、従来技術の問題点を説明するための図である。
【発明を実施するための形態】
【００１９】
以下、図面を参照して、本発明に係る防水コネクタ嵌合構造の好適な実施例を詳細に説明する。
【実施例１】
【００２０】
図１は、本発明の実施例１に係る防水コネクタ嵌合構造１の第一コネクタ１０と第二コネクタ１１０とがコネクタ嵌合される前の状態を示した斜視図である。図２は、図１に示した第一コネクタ１０と第二コネクタ１１０とがコネクタ嵌合された状態の防水コネクタ嵌合構造１の斜視図である。図３は、図２に示した防水コネクタ嵌合構造１をリテーナ挿入開口２２ａ側から視た図である。図４は、防水コネクタ嵌合構造１の断面図である。
本発明の実施例１に係る防水コネクタ嵌合構造１は、第一コネクタ１０と、第二コネクタ１１０とが、シール部材Ｓによって防水可能にコネクタ嵌合されるものである。
【００２１】
第一コネクタ１０は、第一コネクタハウジング２０と、第二コネクタ１１０とのコネクタ嵌合動作を補助する嵌合補助レバー部３０と、端子Ｃ１を第一コネクタハウジング２０の端子収容室２１ｂ内に係止するリテーナ４０と、第一コネクタハウジング２０に形成されたリテーナ挿入開口２２ａを遮水可能に覆う開口覆い壁５０と、を有してなる。
【００２２】
第一コネクタハウジング２０は、絶縁樹脂からなり、端子Ｃ１が収容される端子収容室２１ｂが設けられた柱状の端子収容部２１と、端子収容部２１の外周面２１ａとの間に隙間Ｇが形成されるように端子収容部２１の外周面２１ａを囲い、かつ、端子Ｃ１を端子収容室２１ｂ内に係止するリテーナ４０の挿入口となるリテーナ挿入開口２２ａが形成されたフード部２２と、を備えている。
【００２３】
端子収容部２１は、嵌合方向Ｄに向けて突出された柱状をなし、内部に端子Ｃ１が収容される複数の端子収容室２１ｂが区画して設けられている。
この端子収容部２１は、図４に示すように、リテーナ４０を挿入するためのリテーナ挿入孔２１ｃがリテーナ挿入開口２２ａに対向する位置に設けられている。
【００２４】
なお、端子Ｃ１は、電線Ｗの端末部に取付けられており、端子Ｃ１の後側の電線Ｗにはゴム栓Ｐが装着され、このゴム栓Ｐによって端子収容室２１ｂに繋がる端子挿入口２１ｂｂが液密に封止されるようになっている。
【００２５】
また、端子収容部２１の外周面２１ａにはフード部２２との隙間Ｇに嵌入された第二コネクタ１１０の後述する嵌合筒部１２１の筒内面と重なる位置に周方向に沿って段状に凹んだシール部材配置部２１ｄが設けられている。
【００２６】
シール部材配置部２１ｄは、環状のシール部材Ｓが配置され、シール部材Ｓによって嵌合筒部１２１の内周面１２１ａと端子収容部２１の外周面２１ａとの間が液密に封止されることによって、第一コネクタ１０と第二コネクタ１１０とが防水可能に封止された状態でコネクタ嵌合されるようになっている。
【００２７】
フード部２２は、端子収容部２１の外周面２１ａとの間に隙間Ｇが形成されるように端子収容部２１の外周面２１ａを囲い、かつ、リテーナ４０の挿入口となるリテーナ挿入開口２２ａが形成されている。
【００２８】
リテーナ挿入開口２２ａは、フード部２２の一側面を構成する壁の一部に形成された開口である。
【００２９】
また、フード部２２は、第二コネクタ１１０の嵌合筒部１２１の対向する壁に設けられた一対の嵌合ガイドリブ１２１ｂ、１２１ｂをガイドする一対の嵌合ガイドスリット２２ｂ、２２ｂが嵌合方向Ｄに沿って延在するように設けられている。
【００３０】
嵌合補助レバー部３０は、第二コネクタ１１０とのコネクタ嵌合のために負荷する力に梃を利用可能にしたものである。
この嵌合補助レバー部３０は、一対の嵌合ガイドスリット２２ｂ、２２ｂが設けられたフード部２２の対向する壁の外面に回動支点部３１ａ有して回動可能に取り付けられた一対の回動本体部３１、３１と、一対の回動本体部３１、３１のそれぞれの回動支点部３１ａから離れた部分を橋渡すように連結する操作レバー部３２と、を有してなる。
【００３１】
各回動本体部３１、３１は、内面に第二コネクタ１１０の後述する嵌合ガイド突起１２１ｃが嵌め込まれる不図示の嵌合ガイド溝が形成されている。
【００３２】
このような嵌合補助レバー部３０が、回動支点部３１ａを支点として操作レバー部３２による回動操作が行われることによって、梃を利用したコネクタ嵌合のための力が第一コネクタハウジング２０に作用されるようになっている。
【００３３】
リテーナ４０は、リテーナ挿入開口２２ａおよびリテーナ挿入孔２１ｃを通して第一コネクタハウジング２０の内方に挿入され、各端子Ｃ１を端子収容室２１ｂ内に挿入可能な仮係止位置と、各端子Ｃ１を端子収容室２１ｂ内に係止するため、仮係止位置より第一コネクタハウジング２０のさらに内方に位置される本係止位置と、の２つの位置で第一コネクタハウジング２０に係止可能になっている。
【００３４】
開口覆い壁５０は、嵌合補助レバー部３０の一部をなし、嵌合補助レバー部３０がコネクタ嵌合完了位置にレバー操作された状態でリテーナ挿入開口２２ａを遮水可能に覆うものであり、高圧洗浄水が、リテーナ挿入開口２２ａに直接掛かることを抑制するものである。
【００３５】
この開口覆い壁５０は、より具体的には、操作レバー部３２がその機能をなし、操作レバー部３２がコネクタ嵌合完了位置にレバー操作され、図２−図４に示すように、リテーナ挿入開口２２ａに対向する位置に配置されることによって、リテーナ挿入開口２２ａが遮水可能に覆われるようになっている。
【００３６】
開口覆い壁５０としての操作レバー部３２は、リテーナ挿入開口２２ａの長手方向に対応する幅が、リテーナ挿入開口２２ａが形成されたフード部２２の一側壁を跨ぐようになっているため、リテーナ挿入開口２２ａを覆うことができる大きさになっている。
また、操作レバー部３２は、リテーナ挿入開口２２ａの短手方向に対応する幅が、リテーナ挿入開口２２ａの短手幅よりも大きくなるように調整されている。
【００３７】
なお、嵌合補助レバー部３０は、第一コネクタ１０と第二コネクタ１１０とがコネクタ嵌合させる前の状態では、図１に示すように、操作レバー部３２がリテーナ挿入開口２２ａに対向する位置を回避した位置、すなわち、リテーナ挿入開口２２ａが開口した位置に配置される。
このため、開口覆い壁５０としての操作レバー部３２が、第一コネクタ１０と第二コネクタ１１０とをコネクタ嵌合させる前にリテーナ４０を仮係止位置と本係止位置との間でリテーナ挿入開口２２ａへの挿入方向に移動させる操作の邪魔にならないようになっている。
【００３８】
次に、第二コネクタ１１０について説明する。
第二コネクタ１１０は、第一コネクタハウジング２０の端子収容部２１とフード部２２との間に形成された隙間Ｇに嵌入される嵌合筒部１２１を備えた第二コネクタハウジング１２０を有してなる。
【００３９】
第二コネクタハウジング１２０は、絶縁樹脂からなり、嵌合筒部１２１内に第一コネクタ１０の複数の端子Ｃ１に接続される複数の相手端子Ｃ２が各端子Ｃ１に対応した位置に配置されている。
この第二コネクタハウジング１２０は、上述した一対の嵌合ガイドリブ１２１ｂ、１２１ｂの終端部にそれぞれ嵌合ガイド突起１２１ｃ、１２１ｃが設けられている。
【００４０】
一対の嵌合ガイド突起１２１ｃ、１２１ｃは、各回動本体部３１の不図示の嵌合ガイド溝に嵌ることによって嵌合補助レバー部３０のレバー操作によって発生されたコネクタ嵌合のために必要な力が伝達されるようになっている。
【００４１】
次に、図５を用いて、本発明の実施例１の防水コネクタ嵌合構造１の第一コネクタ１０と第二コネクタ１１０とをコネクタ嵌合する手順、および、第一コネクタ１０と第二コネクタ１１０とがコネクタ嵌合完了されるまでの各部の動作について説明する。
図５は、本発明の実施例１の防水コネクタ嵌合構造１の第一コネクタ１０と第二コネクタ１１０とをコネクタ嵌合する手順、および、第一コネクタ１０と第二コネクタ１１０とがコネクタ嵌合完了されるまでの各部の動作について説明するための図である。
【００４２】
まず、作業者は、第一コネクタ１０の嵌合口を第二コネクタ１１０の嵌合口に合わせた状態で第一コネクタ１０を嵌合方向Ｄに移動開始する（図５（ａ）参照）。
ここで、第二コネクタ１１０の一対の嵌合ガイドリブ１２１ｂ、１２１ｂが第一コネクタ１０の一対の嵌合ガイドスリット２２ｂ、２２ｂに嵌め込まれることによって、第一コネクタ１０が嵌合方向Ｄに沿ってガイドされながら移動される。
【００４３】
次に、作業者は、第一コネクタ１０をさらに嵌合方向Ｄに移動すると、第二コネクタ１１０の一対の嵌合ガイド突起１２１ｃ、１２１ｃが嵌合補助レバー部３０の回動本体部３１内面に形成された不図示の嵌合ガイド溝に嵌め込まれる（図５（ｂ）参照）。
【００４４】
次に、作業者は、操作レバー部３２の回動操作を開始し、嵌合補助レバー部３０によって梃を利用して第一コネクタ１０を嵌合方向Ｄにさらに移動する（図５（ｃ）参照）。
【００４５】
最後に、作業者は、操作レバー部３２を操作完了位置まで回動操作することによって、第一コネクタ１０と第二コネクタ１１０とのコネクタ嵌合が完了される（図５（ｄ）参照）。
このように、嵌合補助レバー部３０によって梃を利用して第一コネクタ１０を嵌合方向Ｄに移動するため、作業者はコネクタ嵌合のために過大な力を第一コネクタハウジング２０に負荷させなくても、コネクタ嵌合のために必要な力を嵌合補助レバー部３０を介して第一コネクタハウジング２０に負荷させることができるようになっている。
すなわち、第一コネクタ１０と第二コネクタ１１０とのコネクタ嵌合のために第一コネクタハウジング２０に過大な力を負荷させる必要がある場合であっても、作業者の作業負担を低減することができるようになっている。
【００４６】
また、開口覆い壁５０としての操作レバー部３２がリテーナ挿入開口２２ａに対向する位置に移動配置されるため、リテーナ挿入開口２２ａが壁で覆われ、高圧洗浄水がリテーナ挿入開口２２ａに直接掛かることが抑制される。
【００４７】
本発明の実施例１に係る防水コネクタ嵌合構造１は、開口覆い壁５０がリテーナ挿入開口２２ａを遮水可能に覆うので、高圧洗浄水がリテーナ挿入開口２２ａに直接掛かることが抑制され、リテーナ挿入開口２２ａから侵入される高圧洗浄水の勢いを弱めることによって、リテーナ挿入開口２２ａから高圧洗浄水が勢いよく浸入されることによってシール部材Ｓが変形されることを防ぎ、シール部材Ｓの防水性能を維持することによって端子Ｃ１、Ｃ２間のショートが発生することを防止することができる。
【００４８】
また、本発明の実施例１に係る防水コネクタ嵌合構造１は、レバー操作によって移動可能な嵌合補助レバー部３０の一部をなす開口覆い壁５０が、第一コネクタ１０と第二コネクタ１１０とがコネクタ嵌合される前の状態では、リテーナ挿入開口２２ａが開口されるように位置されることによって、リテーナ挿入開口２２ａの挿入方向でのリテーナ４０の移動の邪魔にならず、第一コネクタ１０と第二コネクタ１１０とがコネクタ嵌合完了された状態では、リテーナ挿入開口２２ａを遮水可能に覆うことができる。
【実施例２】
【００４９】
次に、図６−図９を用いて、本発明の実施例２に係る防水コネクタ嵌合構造２について説明する。
図６は、本発明の実施例２に係る防水コネクタ嵌合構造２の第一コネクタ１０と第二コネクタ１１０とがコネクタ嵌合される前の状態を示した斜視図である。図７は、図６に示した防水コネクタ嵌合構造２がコネクタ嵌合完了された状態をリテーナ挿入開口２４側から視た図である。図８は、（ａ）が図７に示した防水コネクタ嵌合構造２のＡ−Ａ線断面図であり、（ｂ）が（ａ）に示した断面図のリテーナ挿入開口２４周辺を拡大した図である。図９は、（ａ）が図７に示した防水コネクタ嵌合構造２のＢ−Ｂ線断面図であり、（ｂ）が（ａ）に示した断面図のリブ２６ｃ周辺を拡大した図である。
この実施例２の防水コネクタ嵌合構造２は、主に開口覆い壁６０が第二コネクタ１１０の嵌合筒部１２１に設けられている点で実施例１の防水コネクタ嵌合構造１と異なる。
なお、その他の構成は実施例１と略同様であり、実施例１と同一構成部分には同一符号を付しその説明を省略している。
【００５０】
本発明の実施例２に係る防水コネクタ嵌合構造２は、第一コネクタ１０と、第二コネクタ１１０とが、シール部材Ｓによって防水可能にコネクタ嵌合されるものである。
【００５１】
第一コネクタ１０は、第一コネクタハウジング２０と、第二コネクタ１１０とのコネクタ嵌合動作を補助する嵌合補助レバー部３３と、実施例１と同様に、端子Ｃ１を第一コネクタハウジング２０の端子収容室２１ｂ内に係止するリテーナ４０と、第一コネクタハウジング２０に形成されたリテーナ挿入開口２４を遮水可能に覆う開口覆い壁６０と、を有してなる。
【００５２】
第一コネクタハウジング２０は、絶縁樹脂からなり、端子Ｃ１が収容される端子収容室２１ｂが設けられた柱状の端子収容部２１と、端子収容部２１の外周面２１ａとの間に隙間Ｇが形成されるように端子収容部２１の外周面２１ａを囲い、かつ、端子Ｃ１を端子収容室２１ｂ内に係止するリテーナ４０の挿入口となるリテーナ挿入開口２４が形成されたフード部２３と、を備えている。
【００５３】
リテーナ挿入開口２４は、フード部２３の一側面を構成する壁の一部に形成された開口である。
このリテーナ挿入開口２４は、開口内縁面２５が嵌合方向Ｄに平行に向かい合う一対の嵌合方向平行内縁面２５ａ、２５ａを有してなる。
【００５４】
また、フード部２３は、第二コネクタ１１０に設けられた開口覆い壁６０をリテーナ挿入開口２４を覆う位置に誘導する開口覆いガイド部２６を有してなる。
【００５５】
開口覆いガイド部２６は、一対の嵌合方向平行内縁面２５ａ、２５ａが嵌合方向Ｄに沿ってフード部２３の端縁面まで延在されてなる一対のガイド用延在内縁面２６ａ、２６ａと、一対のガイド用延在内縁面２６ａ、２６ａが向かい合う間のスペースを開口覆い壁６０がリテーナ挿入開口２４に向けて移動される空間として残すように形成された段壁部２６ｂと、一対のリブ２６ｃ、２６ｃと、を有してなる。
【００５６】
段壁部２６ｂは、フード部２３の内面が外方に向けてガイド用延在内縁面２６ａ、２６ａの幅の段差で凹むように形成されている。
この段壁部２６ｂは、縁面が開口内縁面２５の一部を構成するようになっている。
【００５７】
一対のリブ２６ｃ、２６ｃは、段壁部２６ｂの内面に嵌合方向平行内縁面２５ａ、２５ａを間にして向かい合う位置にフード部２３の内面から突出されてなる。
【００５８】
嵌合補助レバー部３３は、一対の嵌合ガイドスリット２２ｂ、２２ｂが設けられたフード部２３の対向する壁の外面に回動支点部３１ａ有して回動可能に取り付けられた一対の回動本体部３１、３１と、一対の回動本体部３１、３１のそれぞれの回動支点部３１ａ、３１ａから離れた部分を橋渡すように連結する操作レバー部３４と、を有してなる。
【００５９】
このような嵌合補助レバー部３３が、回動支点部３１ａ、３１ａを支点として操作レバー部３４による回動操作が行われることによって、梃を利用したコネクタ嵌合のための力が第一コネクタハウジング２０に作用されるようになっている。
なお、この実施例２の嵌合補助レバー部３３は、実施例１の嵌合補助レバー部３０と異なり開口覆い壁としての機能をなしていない。
【００６０】
次に、第二コネクタ１１０について説明する。
第二コネクタ１１０は、第一コネクタハウジング２０の端子収容部２１とフード部２３との間に形成された隙間Ｇに嵌入される嵌合筒部１２１を備えた第二コネクタハウジング１２０を有してなる。
【００６１】
開口覆い壁６０は、嵌合筒部１２１の外面に設けられている。
この開口覆い壁６０は、嵌合筒部１２１の外面と一体的に連結する部分となる基台部６１と、リテーナ挿入開口２４を覆う部分となる覆い本体部６２と、覆い本体部６２の先端部表面に立設された先端側立設壁部６３と、を有してなる。
【００６２】
基台部６１は、覆い本体部６２の両側端部裏側に隙間を小さくして第一コネクタ１０の各リブ２６ｃ、２６ｃが入り込むことができる幅および厚みに寸法が調整されている。
このため、第一コネクタ１０と第二コネクタ１１０とがコネクタ嵌合完了された状態で、段壁部２６ｂと各リブ２６ｃ、２６ｃとによって、図９に示すように、水の侵入経路をいわゆるラビリンス形状にして複雑化することができるようになっている。
【００６３】
覆い本体部６２は、一対のガイド用延在内縁面２６ａ、２６ａと、段壁部２６ｂ以外で構成される開口内縁面２５と、で連続された縁面形状に対応した外形形状をなしている。
このため、覆い本体部６２は、第一コネクタ１０と第二コネクタ１１０とがコネクタ嵌合完了された状態で、リテーナ挿入開口２４を略閉塞した状態で覆うようになっている。
【００６４】
先端側立設壁部６３は、図７に示すように、覆い本体部６２の嵌合方向先端部の縁面に沿って覆い本体部６２の外面に立設されている。
この先端側立設壁部６３は、リテーナ挿入開口２４の開口内縁面２５に当接される部分となる覆い本体部６２の嵌合方向先端部の縁面と面一に形成されることによって開口内縁面２５に当接される当接面６３ａが形成されている。
【００６５】
なお、この実施例２では、先端側立設壁部６３は、開口内縁面２５の当接される部分に対して略平行に立設されている。
このため先端側立設壁部６３は、開口内縁面２５に当接されることでリテーナ挿入開口２４を隙間なく閉塞するとともに、高圧洗浄水を開口内縁面２５から遠ざける方向に誘導することができるようになっているので、シール部材Ｓに向けて侵入されやすい方向から高圧洗浄水が吹き付けられたとしても、侵入する水の水圧を弱めることができるようになっている。
【００６６】
なお、先端側立設壁部６３は、当接面６３ａの裏側の面については水を開口内縁面２５から遠ざけるように誘導する方向に向いていればよい。
【００６７】
このような、防水コネクタ嵌合構造２は、第一コネクタ１０と第二コネクタ１１０とがコネクタ嵌合させる前の状態では、図６に示すように、開口覆い壁６０がリテーナ挿入開口２４を覆わない位置、すなわち、リテーナ挿入開口２４が開口した位置に配置される。
このため、開口覆い壁６０が、第一コネクタ１０と第二コネクタ１１０とをコネクタ嵌合させる前にリテーナ４０を仮係止位置と本係止位置との間でリテーナ挿入開口２４への挿入方向に移動させる操作の邪魔にならないようになっている。
【００６８】
次に、図１０を用いて、本発明の実施例２の防水コネクタ嵌合構造２の第一コネクタ１０と第二コネクタ１１０とをコネクタ嵌合する手順、および、第一コネクタ１０と第二コネクタ１１０とがコネクタ嵌合完了されるまでの各部の動作について説明する。
図１０は、本発明の実施例２の防水コネクタ嵌合構造２の第一コネクタ１０と第二コネクタ１１０とをコネクタ嵌合する手順、および、第一コネクタ１０と第二コネクタ１１０とがコネクタ嵌合完了されるまでの各部の動作について説明するための図である。
【００６９】
まず、作業者は、第一コネクタ１０の嵌合口を第二コネクタ１１０の嵌合口に合わせた状態で第一コネクタ１０を嵌合方向Ｄに移動開始する（図１０（ａ）参照）。
ここで、第二コネクタ１１０の一対の嵌合ガイドリブ１２１ｂ、１２１ｂが第一コネクタ１０の一対の嵌合ガイドスリット２２ｂ、２２ｂに嵌め込まれることによって、第一コネクタ１０が嵌合方向Ｄに沿ってガイドされながら移動される。
【００７０】
次に、作業者は、第一コネクタ１０をさらに嵌合方向Ｄに移動すると、第二コネクタ１１０の一対の嵌合ガイド突起１２１ｃ、１２１ｃが嵌合補助レバー部３３の回動本体部３１内面に形成された不図示の嵌合ガイド溝に嵌め込まれる（図１０（ｂ）参照）。
また、開口覆い壁６０の覆い本体部６２が一対のガイド用延在内縁面２６ａ、２６ａによってリテーナ挿入開口２４の開口内縁面２５に当接される位置に向けて誘導される。このような状態で作業者は、操作レバー部３４の回動操作を開始する。
【００７１】
次に、作業者は、嵌合補助レバー部３３によって梃を利用して第一コネクタ１０を嵌合方向Ｄにさらに移動する（図１０（ｃ）参照）。
【００７２】
最後に、作業者は、操作レバー部３４を操作完了位置まで回動操作することによって、第一コネクタ１０と第二コネクタ１１０とのコネクタ嵌合が完了される（図１０（ｄ）参照）。
このように、嵌合補助レバー部３３によって梃を利用して第一コネクタ１０を嵌合方向Ｄに移動するため、作業者はコネクタ嵌合のために過大な力を第一コネクタハウジング２０に負荷させなくても、コネクタ嵌合のために必要な力を嵌合補助レバー部３３を介して第一コネクタハウジング２０に負荷させることができるようになっている。
すなわち、第一コネクタ１０と第二コネクタ１１０とのコネクタ嵌合のために第一コネクタハウジング２０に過大な力を負荷させる必要がある場合であっても、作業者の作業負担を低減することができるようになっている。
【００７３】
また、開口覆い壁６０の当接面６３ａが開口内縁面２５に当接され、開口覆い壁６０がリテーナ挿入開口２４を略閉塞した状態で覆う位置に配置される。
【００７４】
本発明の実施例２に係る防水コネクタ嵌合構造２は、開口覆い壁６０がリテーナ挿入開口２４を遮水可能に覆うので、高圧洗浄水がリテーナ挿入開口２４に直接掛かることが抑制され、リテーナ挿入開口２４から侵入される高圧洗浄水の勢いを弱めることによって、リテーナ挿入開口２４から高圧洗浄水が勢いよく浸入されることによってシール部材Ｓが変形されることを防ぎ、シール部材Ｓの防水性能を維持することによって端子Ｃ１、Ｃ２間のショートが発生することを防止することができる。
【００７５】
また、本発明の実施例２に係る防水コネクタ嵌合構造２は、嵌合筒部１２１に一体で設けられた開口覆い壁６０が、第一コネクタ１０と第二コネクタ１１０とがコネクタ嵌合される前の状態では、リテーナ挿入開口２４が開口されるように位置されることによって、リテーナ挿入開口２４の挿入方向でのリテーナ４０の移動の邪魔にならず、第一コネクタ１０と第二コネクタ１１０とがコネクタ嵌合完了された状態では、リテーナ挿入開口２４を遮水可能に覆うことができる。
【００７６】
なお、本発明の実施例２に係る防水コネクタ嵌合構造２は、開口覆い壁６０が嵌合筒部１２１に一体で設けられるものを例示したが、これに限らず、開口覆い壁６０は、嵌合筒部１２１とは別体で設けるようにしても構わない。例えば、開口覆い壁６０を嵌合筒部１２１に着脱自在に設けるようにしても構わない。
【実施例３】
【００７７】
次に、図１１−図１３を用いて、本発明の実施例３に係る防水コネクタ嵌合構造３について説明する。
図１１は、本発明の実施例３に係る防水コネクタ嵌合構造３の第一コネクタ１０と第二コネクタ１１０とがコネクタ嵌合される前の状態を示した斜視図である。図１２は、図１１に示した第一コネクタ１０と第二コネクタ１１０とがコネクタ嵌合された状態の防水コネクタ嵌合構造３をリテーナ挿入開口２２ａ側から視た図である。図１３は、（ａ）が図１２に示した防水コネクタ嵌合構造３のＣ−Ｃ線断面図であり、（ｂ）が（ａ）に示した断面図のリテーナ挿入開口２２ａ周辺を拡大した図である。
この実施例３の防水コネクタ嵌合構造３は、主に開口覆い壁８０が第一コネクタハウジング２０に着脱自在な電線カバー７０に設けられている点で実施例１の防水コクタ嵌合構造１と異なる。
なお、その他の構成は実施例１と略同様であり、実施例１と同一構成部分には同一符号を付しその説明を省略している。
【００７８】
本発明の実施例３に係る防水コネクタ嵌合構造３は、第一コネクタ１０と、第二コネクタ１１０とが、シール部材Ｓによって防水可能にコネクタ嵌合されるものである。
【００７９】
第一コネクタ１０は、第一コネクタハウジング２０と、第二コネクタ１１０とのコネクタ嵌合動作を補助する嵌合補助レバー部３３と、実施例１と同様に、端子Ｃ１を第一コネクタハウジング２０の端子収容室２１ｂ内に係止するリテーナ４０と、電線Ｗの引き出し口を塞ぐ電線カバー７０と、第一コネクタハウジング２０に形成されたリテーナ挿入開口２２ａを遮水可能に覆う開口覆い壁８０と、を有してなる。
【００８０】
嵌合補助レバー部３３は、一対の嵌合ガイドスリット２２ｂ、２２ｂが設けられたフード部２３の対向する壁の外面に回動支点部３１ａ有して回動可能に取り付けられた一対の回動本体部３１、３１と、一対の回動本体部３１、３１のそれぞれの回動支点部３１ａ、３１ａから離れた部分を橋渡すように連結する操作レバー部３４と、を有してなる。
【００８１】
このような嵌合補助レバー部３３が、回動支点部３１ａ、３１ａを支点として操作レバー部３４による回動操作が行われることによって、梃を利用したコネクタ嵌合のための力が第一コネクタハウジング２０に作用されるようになっている。
なお、この実施例３の嵌合補助レバー部３３は実施例１の嵌合補助レバー部３０と異なり開口覆い壁としての機能をなしていない。
【００８２】
電線カバー７０は、第一コネクタハウジング２０に着脱自在に設けられる取付部材であり、第一コネクタハウジング２０から引き出される電線Ｗの方向を規制しつつカバーするものである。
【００８３】
この電線カバー７０は、絶縁樹脂からなり、第一コネクタハウジング２０の電線引き出し口２０ａを覆う部分となる出口覆い部７１と、出口覆い部７１から電線Ｗを誘導する方向に向けて延びる延出覆い部７２と、を有してなる。
【００８４】
出口覆い部７１は、電線引き出し口２０ａ側の略全面を覆うように電線引き出し口２０ａ側に開口を向けて第一コネクタハウジング２０に取り付けられる部分である。
【００８５】
延出覆い部７２は、出口覆い部７１と連続した電線誘導空間を形成するように出口覆い部７１に連接されている。
この延出覆い部７２は、リテーナ挿入開口２２ａが形成された第一コネクタハウジング２０の一側面と同じ側となる出口覆い部７１の一側部から筒状に突出されている。
このような延出覆い部７２は、出口覆い部７１に一体的に設けられた一体延出部７２ａと、一体延出部７２ａに着脱自在に設けられた着脱自在延出部７２ｂと、を有してなり、着脱自在延出部７２ｂを一体延出部７２ａから離脱させることによって、電線Ｗを延在覆い部７２内に通し易い構造になっている。
【００８６】
着脱自在延出部７２ｂは、一体延出部７２ａに設けられたロック部７２ａａに被ロック部７２ｂｂがロックされることによって一体延出部７２ａに固定されるようになっている。
この着脱自在延出部７２ｂは、延出覆い部７２を構成する筒状の壁のうち、電線カバー７０が第一コネクタハウジング２０に取り付けられた状態で外壁面をリテーナ挿入開口２２ａの前方領域に向けた壁部分を構成している。
【００８７】
開口覆い壁８０は、着脱自在延出部７２ｂに一体的に連結される連結部８１ａと、電線カバー７０が第一コネクタハウジング２０に取り付けられた状態でリテーナ挿入開口２２ａに対向配置される覆い壁部８１ｂ有してなる。
【００８８】
覆い壁部８１ｂは、板状をなし、リテーナ挿入開口２２ａに対向配置された状態でリテーナ挿入開口２２ａを遮水可能に覆うような寸法に調整されている。
【００８９】
なお、本発明の実施例３に係る防水コネクタ嵌合構造３は、開口覆い壁８０が電線カバー７０に一体で設けられるものを例示したが、これに限らず、開口覆い壁８０は、第一コネクタハウジング２０に着脱自在な取付部材に設けられていればよい。すなわち、開口覆い壁８０は、電線カバー７０ではなくその他の取付部材に一体、または、別体で設けられてもよい。
【００９０】
このような、防水コネクタ嵌合構造３は、電線カバー７０が第一コネクタハウジング２０に取り付けられる前の状態では、開口覆い壁８０がリテーナ挿入開口２２ａを覆わない位置、すなわち、リテーナ挿入開口２２ａが開口した位置に配置される。
このため、電線カバー７０が第一コネクタハウジング２０に取り付けられる前の状態では、開口覆い壁８０が、リテーナ４０を仮係止位置と本係止位置との間でリテーナ挿入開口２２ａでの挿入方向に移動させる操作の邪魔にならないようになっている。
【００９１】
次に、図１４を用いて、本発明の実施例３の防水コネクタ嵌合構造３の第一コネクタ１０と第二コネクタ１１０とをコネクタ嵌合する手順、および、第一コネクタ１０と第二コネクタ１１０とがコネクタ嵌合完了されるまでの各部の動作について説明する。
図１４は、本発明の実施例３の防水コネクタ嵌合構造３の第一コネクタ１０と第二コネクタ１１０とをコネクタ嵌合する手順、および、第一コネクタ１０と第二コネクタ１１０とがコネクタ嵌合完了されるまでの各部の動作について説明するための図である。
【００９２】
まず、作業者は、第一コネクタ１０の嵌合口を第二コネクタ１１０の嵌合口に合わせた状態で第一コネクタ１０を嵌合方向Ｄに移動開始する（図１４（ａ）参照）。
ここで、第二コネクタ１１０の一対の嵌合ガイドリブ１２１ｂ、１２１ｂが第一コネクタ１０の一対の嵌合ガイドスリット２２ｂ、２２ｂに嵌め込まれることによって、第一コネクタ１０が嵌合方向Ｄに沿ってガイドされながら移動される。
【００９３】
次に、作業者は、第一コネクタ１０をさらに嵌合方向Ｄに移動すると、第二コネクタ１１０の一対の嵌合ガイド突起１２１ｃ、１２１ｃが嵌合補助レバー部３３の回動本体部３１内面に形成された不図示の嵌合ガイド溝に嵌め込まれる（図１４（ｂ）参照）。
【００９４】
次に、作業者は、操作レバー部３４の回動操作を開始し、嵌合補助レバー部３３によって梃を利用して第一コネクタ１０を嵌合方向Ｄにさらに移動する（図１４（ｃ）参照）。
【００９５】
最後に、作業者は、操作レバー部３４を操作完了位置まで回動操作することによって、第一コネクタ１０と第二コネクタ１１０とのコネクタ嵌合が完了される（図１４（ｄ）参照）。
このように、嵌合補助レバー部３３によって梃を利用して第一コネクタ１０を嵌合方向Ｄに移動するため、作業者はコネクタ嵌合のために過大な力を第一コネクタハウジング２０に負荷させなくても、コネクタ嵌合のために必要な力を嵌合補助レバー部３３を介して第一コネクタハウジング２０に負荷させることができるようになっている。
すなわち、第一コネクタ１０と第二コネクタ１１０とのコネクタ嵌合のために第一コネクタハウジング２０に過大な力を負荷させる必要がある場合であっても、作業者の作業負担を低減することができるようになっている。
【００９６】
また、電線カバー７０が第一コネクタハウジング２０に取り付けられることによって、開口覆い壁８０の覆い壁部８１ｂがリテーナ挿入開口２２ａに対向する位置に配置されるため、リテーナ挿入開口２２ａが遮水可能に覆われ、高圧洗浄水がリテーナ挿入開口２２ａに直接掛かることが抑制される。
【００９７】
本発明の実施例３に係る防水コネクタ嵌合構造３は、開口覆い壁８０がリテーナ挿入開口２２ａを遮水可能に覆うので、高圧洗浄水がリテーナ挿入開口２２ａに直接掛かることが抑制され、リテーナ挿入開口２２ａから侵入される高圧洗浄水の勢いを弱めることによって、リテーナ挿入開口２２ａから高圧洗浄水が勢いよく浸入されることによってシール部材Ｓが変形されることを防ぎ、シール部材Ｓの防水性能を維持することによって端子Ｃ１、Ｃ２間のショートが発生することを防止することができる。
【００９８】
また、本発明の実施例３に係る防水コネクタ嵌合構造３は、第一コネクタハウジング２０に着脱可能な取付部材としての電線カバー７０に開口覆い壁８０を設けているので、第一コネクタハウジング２０から電線カバー７０が離脱されることによって、開口覆い壁８０が前記リテーナ挿入開口２２ａの挿入方向でのリテーナ４０の移動の邪魔にならず、電線カバー７０が第一コネクタハウジング２０に装着されることによって、開口覆い壁８０によってリテーナ挿入開口２２ａを遮水可能に覆うことができる。
【００９９】
本発明の実施例３に係る防水コネクタ嵌合構造３は、開口覆い壁８０が電線カバー７０に一体で設けられるものを例示したが、これに限らず、開口覆い壁８０は、電線カバー７０とは別体で設けるようにしても構わない。例えば、開口覆い壁８０を電線カバー７０に着脱自在に設けるようにしても構わない。
【０１００】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【０１０１】
１、２、３    防水コネクタ嵌合構造
１０          第一コネクタ
２０          第一コネクタハウジング
２０ａ        電線引き出し口
２１          端子収容部
２１ａ        外周面
２１ｂ        端子収容室
２１ｂｂ      端子挿入口
２１ｃ        リテーナ挿入孔
２１ｄ        シール部材配置部
２２、２３    フード部
２２ａ、２４  リテーナ挿入開口
２２ｂ        嵌合ガイドスリット
２５          開口内縁面
２５ａ        嵌合方向平行内縁面
２６          開口覆いガイド部
２６ａ        ガイド用延在内縁面
２６ｂ        段壁部
２６ｃ        リブ
３０、３３    嵌合補助レバー部
３１          回動本体部
３１ａ        回動支点部
３２          操作レバー部（開口覆い壁）
３４          操作レバー部
４０          リテーナ
５０、６０、８０  開口覆い壁
６１          基台部
６２          覆い本体部
６３          先端側立設壁部
６３ａ        当接面
７０          電線カバー（取付部材）
７１          出口覆い部
７２          延出覆い部
７２ａ        一体延出部
７２ａａ      ロック部
７２ｂ        着脱自在延出部
７２ｂｂ      被ロック部
８１ａ        連結部
８１ｂ        覆い壁部
１１０        第二コネクタ
１２０        第二コネクタハウジング
１２１        嵌合筒部
１２１ａ      内周面
１２１ｂ      嵌合ガイドリブ
１２１ｃ      嵌合ガイド突起
Ｃ１          端子
Ｇ            隙間
Ｐ            ゴム栓
Ｓ            シール部材
Ｗ            電線
【図１】
2018152265.tif 000003
【図２】
2018152265.tif 000004
【図３】
2018152265.tif 000005
【図４】
2018152265.tif 000006
【図５】
2018152265.tif 000007
【図６】
2018152265.tif 000008
【図７】
2018152265.tif 000009
【図８】
2018152265.tif 000010
【図９】
2018152265.tif 000011
【図１０】
2018152265.tif 000012
【図１１】
2018152265.tif 000013
【図１２】
2018152265.tif 000014
【図１３】
2018152265.tif 000015
【図１４】
2018152265.tif 000016
【図１５】
2018152265.tif 000017